【事件の表示】
　特願２００２−１３１２５６「ディスプレイデバイスのスキャン構造」拒絶査定不服審判事件〔平成１５年　２月１４日出願公開、特開２００３−　４３９５２〕について、次のとおり審決する。
【結　論】
　本件審判の請求は、成り立たない。
【理　由】
１　手続の経緯
　本件は、平成１４年５月７日（パリ条約による優先権主張：２００１年５月４日，韓国）の出願であって、平成１８年３月９日付け（発送日：同年同月１４日）で拒絶査定がなされ、これに対し平成１８年６月６日に拒絶査定に対する審判請求がなされるとともに、同日付けで明細書を補正対象とする手続補正書が提出されたものである。
　
２　平成１８年６月６日付け手続補正（以下、「本件補正」という。）について
　本件補正は、願書に最初に添付した明細書又は図面に記載した事項の範囲内でなされたものであり、また、本件補正前の特許請求の範囲の請求項１乃至４、１１乃至１５を削除するとともに、それに伴い残りの請求項５乃至１０の番号を繰り上げて新たな請求項１乃至６としたものであるから、本件補正は、平成１８年改正前特許法第１７条の２第４項第１号の請求項の削除を目的とするものに該当する。
　
３　本願発明について
　本件補正は、上記のとおり適法になされたものと認められるので、本願の請求項１乃至６に係る発明は、平成１８年６月６日付け手続補正書より補正された明細書及び図面の記載からみて、その特許請求の範囲の請求項１乃至６に記載された事項により特定されるとおりのものと認められるところ、その請求項１に係る発明は、次のとおりのものである。
「【請求項１】　隔壁で分割された少なくとも２本のスキャンライン電極を形成する少なくとも１つのユニットスキャンライン電極と、
　少なくとも１つユニットスキャンライン電極と少なくとも２本のデータライン電極とが直交する位置にピクセルを形成した多数のデータライン電極及びスキャンライン電極と、
　前記データライン電極方向に沿ってスキャンラインの奇数番目と偶数番目に分離してデータ信号を印加するデータドライバと、そして
　前記少なくとも１つのユニットスキャンライン電極に１つのスキャン信号を印加するスキャンドライバとからなり、
　ピクセルはデータライン方向において奇数番目と偶数番目とに分離されて、何れか１本のデータライン電極から電圧が加えられるようされていることを特徴とするディスプレイデバイスのスキャン構造。」（以下、「本願発明」という。）
　
４　刊行物に記載された発明
　原査定の拒絶の理由で引用され、優先権主張の日前に頒布された刊行物である特開２０００−２５９１２４号公報（以下、「刊行物１」という。）には、図面とともに次の事項が記載されている。
（１）「【請求項１】  陽極と陰極間に発光層を有し、前記陽極及び陰極の一方をコラム電極とし他方をロウ電極としてマトリクス状に配置したエレクトロルミネッセンス表示装置において、各コラム電極を、奇数ラインに対応する第１コラム電極と偶数ラインに対応する第２のコラム電極に分割して構成すると共に、前記第１及び第２コラム電極を各々独立して駆動する第１及び第２コラムドライバ回路と、前記ロウ電極を駆動するロウドライバ回路とを有し、奇数ラインと偶数ラインを同時に駆動することを特徴とするエレクトロルミネッセンス表示装置。
【請求項２】  前記ロウ電極はライン毎に構成され、隣り合う奇数ラインと偶数ラインに対応する２つのロウ電極を同時に駆動することを特徴とする請求項１記載のエレクトロルミネッセンス表示装置。」
　
（２）「【０００１】
【発明の属する技術分野】本発明は、陽極と陰極間に発光層を有し、陽極及び陰極をマトリクス状に配置したパッシブ型のエレクトロルミネッセンス（EL）表示装置に関する。
【０００２】
【従来の技術】有機EL素子は、自ら発光するため液晶表示装置で必要なバックライトが要らず薄型化に最適であると共に、視野角にも制限が無いため、次世代の表示装置としてその実用化が大きく期待されている。
【０００３】有機EL素子１は、図７に示すように例えば、透明なガラス基板２上にITO等の透明電極から成る陽極３を形成し、この陽極３とMgIn合金から成る陰極４との間に、MTDATAから成るホール輸送層５，TPDとRubreneから成る発光層６，Alq3から成る電子輸送層７を順に積層して形成されている。そして、陽極３から注入されたホールと陰極４から注入された電子とが発光層６の内部で再結合することにより光が放たれ、図中の矢印で示すように光は透明な陽極側から外部へ放射される。
【０００４】このような有機EL素子を駆動する表示装置には、パッシブ型とTFTを使用するアクティブ型の２種類があり、パッシブ型の概略回路構成は、図６に示す通りである。
【０００５】即ち、表示画面を上下に分割し、上半分と下半分の画面に対して各々独立したマトリクス８，９を設ける。マトリクス８，９においては、上述したEL素子の一対の電極のうち陽極がコラム電極、陰極がロウ電極と成り、ロウ電極は各ライン毎に全コラムに渡って形成されている。一方、マトリクス８におけるコラム電極は、画面の上半分に対応するラインに渡って連続して形成されており、マトリクス９におけるコラム電極は、画面の下半分に対応するラインに渡って連続して形成されている。」
　
（３）「【００１５】
【発明の実施の形態】図１は本発明の実施形態を示すブロック図であり、有機EL素子の陽極をコラム電極２１１，２１２とし、陰極をロウ電極２０１，２０２として、マトリクス２０を構成している。ロウ電極２０１，２０２は、従来と同様、各ライン毎に設けられ、奇数ラインの電極２０１も偶数ラインの電極２０２も、全コラムに渡って連続して形成されている。
【００１６】しかしながら、コラム電極は、従来のように画面の上下で分割するのではなく、電極が存在するラインが奇数ラインか偶数ラインかで分割するようにしている。即ち、第１コラム電極２１１は、奇数ラインのロウ電極２０１と重畳する位置にのみ存在する電極を連結して形成しており、第２コラム電極２１２は、偶数ラインのロウ電極２０２と重畳する位置にのみ存在する電極を連結して形成している。そして、第１コラム電極２１１と第２コラム電極２１２の画素対応部分を、コラム方向に真っ直ぐに互い違いに配置することにより、ロウ電極とコラム電極が重畳して成る画素をコラム方向に真っ直ぐに配列している。
【００１７】奇数ライン及び偶数ラインの各ロウ電極２０１，２０２は、ロウ駆動信号としての走査信号を供給する唯一のロウドライバ２１に接続され、第１カラム電極２１１は第１コラム駆動信号を供給する第１コラムドライバ２２に、そして第２カラム電極２１２は第２コラム駆動信号を供給する第２コラムドライバ２３に接続されている。第１コラムドライバ２２及び第２コラムドライバ２３は、共に表示コントローラ２４に接続され、この表示コントローラは、入力映像信号を各画素の表示階調を表す階調データDATAに変換するADコンバータ２４０と、入力される同期信号に位相ロックをかけるＰＬＬ回路２４１と、ＰＬＬ回路２４１の出力信号に基づき各種タイミング信号を生成するタイミングコントローラ２４２から成る。
【００１８】そして、第１コラムドライバ２２及び第２コラムドライバ２３には、ADコンバータ２４０から出力されるデータDATAと、タイミングコントローラ２４２から出力されるラッチパルスLATCH及びカウンタパルスCTPが、共通して入力され、更に、タイミングコントローラ２４２から出力される第１シフトクロックCK1が第１コラムドライバ２２に、第２シフトクロックCK2が第２コラムドライバ２３に入力されている。
【００１９】ところで、第１コラムドライバ２２及び第２コラムドライバ２３は同一の構成であり、具体的には図４に示す構成である。」
　
（４）「【００２２】次に、図１に示す実施形態の動作を、図３を参照して説明する。
【００２３】まず、第１シフトクロックＣＫ１は、図３ｂに示すように１HのA期間のみクロックを発生し、続くＢ期間ではクロックが発生しない。一方、第２シフトクロックＣＫ２は、第1シフトクロックＣＫ1とは逆で図３ｄに示すように、１HのＢ期間のみクロックを発生し、続くA期間ではクロックが発生しない。そして、第1シフトクロックＣＫ1は第１コラムドライバ２２に入力され、第２シフトクロックＣＫ２は第２コラムドライバ２３に入力されるので、入力データDATAのうち奇数ラインのデータが順次、A期間に第１コラムドライバ２２内のシフトレジスタ３０に取り込まれ、偶数ラインのデータが順次Ｂ期間に第２コラムドライバ２３内のシフトレジスタ３０に取り込まれ、それらの各シフトレジスタの内容USF,DSFは、図３c,eに示すように変化する。また、ラッチパルスLATCHは、図３ｆに示すようにA期間の最初でのみ出力されるので、第１コラムドライバ２２及び第２コラムドライバ２３では、各シフトレジスタ３０の内容USF,DSFが同時にラッチ回路３１にラッチされる。
【００２４】上述したように、ｎビットカウンタ３２に入力されるカウンタパルスCTPは、図５に示すように２Ｈ期間内に所定数（ｎ＝３ならば８個）のパルスを発生するので、第１コラムドライバ２２及び第２コラムドライバ２３内の各パルス幅変調回路３３は、A期間からB期間に渡る２Ｈ期間で、階調レベルに応じたパルス幅変調信号をコラム駆動信号として出力する。つまり、第１コラムドライバ２２からは奇数ラインに対応するコラム駆動信号が出力されて、これがマトリクス２０内の第１コラム電極２１１に送出され、第２コラムドライバ２３からは偶数ラインに対応するコラム駆動信号が出力されて、これがマトリクス２０内の第２コラム電極２１２に送出される。また、ロウドライバ２１は、隣り合う奇数ラインと偶数ラインに対応する２本のロウ電極２０１，２０２を同時に走査し、この走査を上位ラインから下位ラインに向かって順次繰り返す。従って、マトリクス２０においては、隣り合う奇数ラインと偶数ラインの２本のラインで同時にELの発光が行われて表示がなされ、この２ライン同時表示が上位ラインから下位ラインに向かって順次実行される。」
　
（５）図面の図１には、奇数ラインのロウ電極（２０１）と偶数ラインのロウ電極（２０２）とが、多数のコラム電極（２１１，２１２）と直交する位置に画素が形成されていなる構成が見て取れる。
　
　上記摘記事項（１）乃至（５）からみて、刊行物１には、以下の発明が記載されているものと認められる。
「各々独立してなる奇数ラインのロウ電極（２０１）と偶数ラインのロウ電極（２０２）のうち、同時に走査される隣り合う奇数ラインのロウ電極（２０１）と偶数ラインのロウ電極（２０２）とを１組として構成し、
　１組として構成された奇数ラインのロウ電極（２０１）と偶数ラインのロウ電極（２０２）に直交する位置に画素を形成した多数のコラム電極（２１１，２１２）及びロウ電極（２０１，２０２）と、
　前記コラム電極（２１１，２１２）方向に沿って奇数ラインのロウ電極（２０１）と偶数ラインのロウ電極（２０２）に分離してコラム駆動信号を印加する第１及び第２コラムドライバ（２２，２３）、
　前記奇数ラインのロウ電極（２０１）と偶数ラインのロウ電極（２０２）からなる１組としての構成のそれぞれにロウ駆動信号を印加するロウドライバ（２１）とからなり、
　画素はコラム電極方向において奇数番目と偶数番目とに分離されて、何れか１本のコラム電極からコラム駆動信号が加えられるようにされている表示装置の構造。」（以下、「刊行物１に記載された発明」という。）
　
５　対比
 　本願発明と刊行物１に記載された発明とを対比する。 
 　刊行物１に記載された発明の「ロウ電極（２０１，２０２）」、「奇数ラインのロウ電極（２０１）と偶数ラインのロウ電極（２０２）を１組として構成」、「画素」、「コラム電極（２１１，２１２）」、「コラム駆動信号」、「第１及び第２コラムドライバ（２２，２３）」、「ロウ駆動信号」、「ロウドライバ（２１）」、「コラム電極からコラム駆動信号が加えられる」、「表示装置の構造」は、それぞれ、本願発明の「スキャンライン電極」、「１つのユニットスキャンライン電極」、「ピクセル」、「データライン電極」、「データ信号」、「データドライバ」、「スキャン信号」、「スキャンドライバ」、「データラインから電圧が加えられる」、「ディスプレイデバイスのスキャン構造」に相当するから、両者は、 以下の一致点で一致し相違点１及び２で相違する。
　
＜一致点＞
「少なくとも２本のスキャンライン電極を形成する少なくとも１つのユニットスキャンライン電極と、
　少なくとも１つユニットスキャンライン電極と少なくとも２本のデータライン電極とが直交する位置にピクセルを形成した多数のデータライン電極及びスキャンライン電極と、
　前記データライン電極方向に沿ってスキャンラインの奇数番目と偶数番目に分離してデータ信号を印加するデータドライバと、そして
　前記少なくとも１つのユニットスキャンライン電極にスキャン信号を印加するスキャンドライバとからなり、
　ピクセルはデータライン方向において奇数番目と偶数番目とに分離されて、何れか１本のデータライン電極から電圧が加えられるようされているディスプレイデバイスのスキャン構造。」
　
＜相違点１＞
　本願発明では、スキャンライン電極が隔壁で分離された構成であるのに対して、刊行物１に記載された発明においては、その点の構成が明確には示されていない点。
　
＜相違点２＞
　本願発明では、１つのユニットスキャンライン電極に１つのスキャン信号を印加するような構成であるの対して、刊行物１に記載された発明では、ユニットスキャンライン電極内のユニットスキャンライン電極それぞれにスキャン信号を印加するような構成である点。
　
６　判断
（１）上記相違点１について検討する。
  例えば、原査定の拒絶の理由で引用され、優先権主張の日前に頒布された刊行物である特開２００１−８５１６７号公報（以下、「刊行物２」という。）には、図面とともに次の事項が記載されている。
ア「【請求項１】  複数の平行電極よりなる陽極が形成された基板上に、有機発光層と、上記陽極と直交する複数の平行電極よりなる陰極とを順次積層形成してなる有機ＥＬ素子であって、上記陽極が形成された基板上に、上記陽極と直交する方向に延びる互いに平行な複数の隔壁を設けるとともに、上記隔壁を断面平行四辺形に形成して、その上端面の一方の側縁に形成される鋭角のエッジ部にて、上記陰極が上記複数の平行電極に分断されるようになしたことを特徴とする有機ＥＬ素子。」
　
イ「【０００２】
【従来の技術】有機ＥＬ素子は、良好な視認性と耐衝撃性を備え、発光色が多様であることなどから、車載用ディスプレイや携帯機器用ディスプレイとしての利用が期待されている。有機ＥＬ素子は、一般に、ガラス基板上に、透明導電膜よりなる陽極と、有機発光層と、Ａｌ合金等よりなる陰極を順次積層してなり、陽極および陰極は、それぞれストライプ状にパターニングされた複数の平行電極よりなる。これら陽極および陰極を構成する平行電極は、互いに直交する方向に配置されており、その交点に多数の発光部が形成される。従って、特定の陽極と陰極を選択して電圧を印加することで対応する発光部を発光させることができる。」
　
ウ「【００１５】
【発明の実施の形態】以下、本発明の一実施の形態について説明する。図１（ｂ）は本発明を適用した有機ＥＬディスプレイパネルの全体構成図、図１（ａ）はその断面図で、透明または半透明な基板１上には、ＩＴＯ（ＳｎドープＩｎＯ2 ）等の透明導電膜よりなる陽極２が形成してある。基板１は無アルカリガラス等のガラスの他、ポリエチレンテレフタレート（ＰＥＴ）等の樹脂またはセラミックス等の材料で構成することができる。陽極２は、図１（ｂ）に示すように、一定幅で互いに平行に形成されたストライプ状の平行電極群よりなる。
【００１６】陽極２上には、発光部以外の部分を絶縁するために、絶縁膜３が形成され、この絶縁膜３上に、陰極をパターニングするための隔壁４が形成してある。隔壁４は、断面が平行四辺形で、陽極２と直交する方向に多数形成される。隔壁４の底辺の幅は、絶縁膜３の幅より狭く、隔壁４の側方に絶縁膜３が露出している。絶縁膜３、隔壁４は、電気絶縁性の感光性材料からなり、通常のフォトリソグラフィ工程により、所定の形状にパターニングされる。
【００１７】絶縁膜３で囲まれる発光部には、陽極２上に有機発光層５および陰極６が順次積層形成してある。この時、隔壁４の上面および一方の側面（図１（ａ）の左側面）と、露出する絶縁膜３上面にも有機発光層５および陰極６が形成されるが、隔壁４の他方の側面（図１（ａ）の右側面）は、鋭角なエッジ部４１が側方へ突出しているために、有機発光層５および陰極６はここで切断されて非連続となる。これにより、陰極６は、陽極２と直交する方向に一定幅で延び、互いに平行なストライプ状の平行電極群に分割される。なお、図中、１１は、陰極６の電極取り出し用のリード部、２１は、陽極２の電極取り出し用のリード部である。
【００１８】陽極２は、ＩＴＯ以外に、例えば、ＡＴＯ（ＳｂドープＳｎＯ2 ）、ＡＺＯ（ＡｌドープＺｎＯ）等の透明導電膜を用いてもよい。陰極６は、例えば、Ａｌ、Ｉｎ、Ｍｇ、Ｔｉ等の金属、Ａｌ−Ｌｉ合金、Ａｌ−Ｓｒ合金、Ａｌ−Ｂａ合金等のＡｌ合金、Ｍｇ−Ａｇ合金、Ｍｇ−Ｉｎ合金等のＭｇ合金等よりなる。有機発光層５は、例えば、Ａｌｑ3 （トリス（８−キノリノール）アルミニウム）等の有機系の蛍光体を発光層として備え、陽極２と陰極６に電圧を印加することにより発光する。有機発光層５は、発光層のみの単層構造としても、正孔注入輸送層、発光層、電子注入輸送層の３層構造、または正孔注入輸送層と電子注入輸送層のいずれかを積層した２層構造としてもよい。」
　
エ「【００２６】このようにして得られる有機ＥＬ素子は、陰極６が、隔壁４のエッジ部４１によって分断されるので、隣接する陰極６間の短絡を確実に防止される。また、絶縁膜３により、陰極６が有機発光層５の側面をまわり込んで陽極２と短絡することを防止できる。よって、本発明によれば、簡単な工程でオーバーハング形状を有する隔壁４を形成し、高性能で信頼性の高い有機ＥＬ素子を低コストで得ることができる。」
　
　上記記載によれば、パッシブ型の有機ＥＬ表示装置において、隣接する陰極間、即ち隣接するスキャンライン電極間の短絡を確実に防止するためにスキャンライン電極間に隔壁を形成する技術は、周知の技術（以下、「周知技術１」という。）と認められる。そうすると、上記刊行物１に記載された発明は、パッシブ型の有機ＥＬ表示装置の技術に関するものであることから、有機素子上に陰極としてのスキャンライン電極を形成しなければならないことは明白であり、スキャンライン電極間の短絡を確実に防止するためにスキャンライン電極間に隔壁を形成するような周知技術１を採用することに特段の困難性もない。してみると、上記相違点１に係る本願発明の発明特定事項は、刊行物１に記載された発明に上記周知技術１を適用することにより当業者が容易に想到し得た程度のものにすぎない。
　
（２）次に、上記相違点２について検討する。
  例えば、優先権主張の日前に頒布された刊行物である特開昭５２−６３０１４号公報（以下、「刊行物３」という。）には、図面とともに次の事項が記載されている。
ア「そこで、表示画面での実質的な走査線数のみを増加させる方法として、多重マトリクス液晶パネルを用いる方法がある。これは走査電極、信号電極により構成されるＸ行Ｙ列のマトリクスを単一の液晶パネル上にｎ重（ｎ＝２、３、…）に構成するものである。表示画面はｎＸ行、Ｙ列得られ、しかも等価的な走査線数Ｎ＝Ｘとなり、（１）式で示される動作マージンは単一マトリクスによりＸ行、Ｙ列の表示画面を構成した時と同じ値となる。すなわち、多重マトリクスの採用により画面上の査走線数の増加に対して動作マージンの低下がなく、安定性の高い鮮明な表示画面を得ることができる。
　次に一例として４行４列の表示画面を２重マトリクスにより得る液晶パネルの構造を第１図、第２図によつて説明する。第１図（１）は液晶パネルを構成する２枚のガラス基盤のうち一方に形成する電極パターン、（２）は他方に形成する電極パターンを示したものである。このような２枚の基板は液晶増をはさんで対向し第２図に示すようにマトリクスが形成される。第２図においてＡｘ１、Ａｘ２はＡマトリクスの走査電極、Ｂｘ１、Ｂｘ２はＢマトリクスの走査電極、Ａｙ１〜Ａｙ４はＡマトリクスの信号電極、Ｂｙ１〜Ｂｙ４はＢマトリクスの走査電極である。ここでマトリクスＡとマトリクスＢは独立に平行して走査することができ、従つて等価的な走査線数Ｎ＝２となる。
　ところで従来、このような多重マトリクス液晶パネルを駆動する場合せはＡマトリクスとＢマトリクスのそれぞれ第ｍ（ｍ＝１、２、３、…）電極同志を接続し、同一の走査電極駆動回路を用いて駆動を行つていた。この様子を第３図に示す。・・・・・
　すなわち、第３図においてリングカウンタ１によつてＡｘ１およびＢｘ１が選択されている場合を考える。このとき入力信号Ａと入力信号Ｂとが同時に得られる場合にはＡｘ１ラインとＢｘ１ラインが同時に表示を行ない、次にリング・カウンタ１によってＡｘ２およびＢｘ２が選択されたときにはＡｘ２とＢｘ２が同時に表示を行なう。この場合には総走査ラインが４本であるにもかかわらず各走査ラインにおける選択時間のデユーテイは５０％となり、多重マトリクスの効果のあることがわかる。」（公報第２頁左上欄第１行−同頁左下欄第１８行。）
　
　また、優先権主張の日前に頒布された刊行物である特開平２−２１４８１８号公報（以下、「刊行物４」という。）には、図面とともに次の事項が記載されている。
イ「実施例１
　第１図は、本発明の基本的な構成を示す一実施例図であり、アクテイブマトリクス型液晶表示装置の回路図である。なお、この実施例は同時に駆動するゲート線数が２本（ｋ＝２）の場合を例示する。
　第１図において、１１はマトリクス状に配置された液晶セル、１２は電荷蓄積用コンデンサ、１３は各液晶セル１１の一方の電極に接続されているＴＦＴ、１４はＴＦＴの各データ電極に共通接続されたデータ線Ｄ1〜Ｄ2n、１５はＴＦＴの各ゲート電極に共通接続されたゲート線Ｇ1〜Ｇnである。また、１６はゲート線に順次走査パルスを印加するゲートドライバ、１７は画像信号をデータ線に並列に印加する機能を備えたデータドライバ、１８はＴＦＴを形成した基板と液晶を挟んで対向する基板上に形成された透明な共通電極である。
　また、第１図においては、奇数番目のゲート線Ｇ1，Ｇ3，…Ｇm-1に接続されているＴＦＴのデータ電極は、それぞれ奇数番目のデータ線Ｄ1，Ｄ3，…Ｄ2n-1に接続され、偶数番目のゲート線Ｇ2，Ｇ4，…Ｇmに接続されているＴＦＴのデータ電極は、それぞれ偶数番目のデータ線Ｄ2，Ｄ4，…Ｄ2nに接続されている。したがって１列に接続されるデータ線は２本となり、データ線の本数は前記第２図の回路の２倍となる。
　なお、本実施例においては、説明を簡単にするためゲート線２本（ｋ＝２）に同時書き込みする場合の構成を示したが、同時書き込みするゲート線の本数ｋは２以上であれば構わない。ただし、本発明においてはデータ線の本数を従来構成に比べてｋ倍、すなわちｋ＝２の場合は２倍、ｋ＝３の場合は３倍設ける必要がある。
　本実施例においては、隣あった２本のゲート線Ｇ1とＧ2、に同時にゲートパルスを印加し、それらのゲート線に接続されているＴＦＴを同時にオン状態にする。このとき、奇数番目のデータ線りＤ1，Ｄ３……Ｄ2n-1によって第１行目（Ｇ1に対応）の各画素に書き込みを行い、同様に偶数番目のデータ線Ｄ2，Ｄ4……Ｄ2n、によって第２行目（Ｇ2に対応）の各画素に書き込みを行う。
　上記のようにして、第１，２行目の書き込みを完了すると、ゲート線Ｇ3，Ｇ4にゲートパルスを印加し、以下一対のゲート線（Ｇ5，Ｇ6），（Ｇ7，Ｇ8）……毎にゲートパルスを順次加えてゆく。
　このように２行同時に信号を書き込むようにすることにより、１行づつ書き込む従来の場合と較べて２倍の時間を書き込みにあてることが可能となる。これはゲートにパルス電圧を印加する時間が実効的に２倍に拡大されたことに相当する。」（公報第３頁左下欄第１１行−第４頁左上欄第２０行。）
　
ウ「実施例５
　第９図は、本発明の第５の実施例図である。
　この実施例は、前記第１図の実施例において同時に駆動する２本のゲート線を一つにまとめてゲートドライバの一つの出力で駆動するように構成したものである。なお、この実施例は２本を一つにまとめた場合を例示したが、ｋ本同時に駆動するときはｋ本を一つにまとめることが出来る。
　第９図において、９１は前記と同様の液晶画素、９２はデータドライバ（第１図の１７に相当）、９３はゲートドライバである。
　
　刊行物３及び４の上記記載によれば、デイスプレイデバイスの技術分野において２本のスキャンラインを同時に選択するための技術として、スキャンドライバからの一つの出力を２つに分けて隣接した２本のスキャンラインに印加する技術は、周知の技術（以下、「周知技術２」という。）と認められる。そうすると、上記刊行物１に示されたユニットスキャンライン電極内のユニットスキャンライン電極それぞれにスキャン信号を印加するような構成に代えて、上記周知技術２を採用することに特段の困難性もない。してみると、上記相違点２に係る本願発明の発明特定事項は、刊行物１に記載された発明に上記周知技術２を適用することにより当業者が容易に想到し得た程度のものにすぎない。
　
（３）そして、本願発明の奏する作用効果も、刊行物１に記載された発明及び周知技術１、２に基づいて当業者が予測可能な範囲内のものである。
　したがって、本願発明は、刊行物１に記載された発明及び周知技術１、２に基づいて、当業者が容易に発明をすることができたものである。
　
７　まとめ
　以上のとおりであるから、本件出願の請求項１に係る発明である本願発明は特許法第２９条第２項の規定により特許を受けることができないものであり、その余の請求項２乃至６に係る発明についての判断を示すまでもなく、本件出願は、拒絶をすべきものである。
　よって、結論のとおり結審する。